(57)【要約】【課題】補強板の板厚を大きくすることなく、防盗性能を向上させることのできる紙幣識別装置の取付構造を提供する。【解決手段】取付部材３１の紙幣投入孔３１ａのスリット幅方向に移動可能に補強板３２を取付部材３１に連結したので、取付部材３１の紙幣投入孔３１ａの周りを変形させるためにバール等の工具Ａを紙幣投入孔３１ａに挿入した場合に、工具Ａの先端に生じる力を補強板３２を移動させる力として作用させ、取付部材３１の紙幣投入孔３１ａと補強板３２の紙幣通過孔３２ａからなる開口部のスリット幅を小さくすることによって工具Ａの進入を規制することができ、補強部材３２の板厚を大きくすることなく、防盗性能を向上させることが可能となる。【選択図】図６
2008304971.tif 000002
【特許請求の範囲】
【請求項１】
紙幣識別機能を有する機器の筐体の内面と紙幣識別装置との間に設けられ、スリット状の紙幣投入孔が設けられた取付部材と、取付部材と紙幣識別装置との間に設けられ、スリット状の紙幣通過孔が設けられた補強板とを備えた紙幣識別装置の取付構造において、
前記補強板を、紙幣投入孔のスリット幅方向に移動可能に取付部材に連結した
ことを特徴とする紙幣識別装置の取付構造。
【請求項２】
前記取付部材または補強板に、補強板の移動する方向に延びる長孔を設け、
取付部材及び補強板を、長孔を介してネジによって連結した
ことを特徴とする請求項１記載の紙幣識別装置の取付構造。
【発明の詳細な説明】
【技術分野】
【０００１】
本発明は、自動販売機、両替機等に用いられる紙幣識別装置の取付構造に関するものである。
【背景技術】
【０００２】
従来、この種の紙幣識別装置の取付構造としては、紙幣識別機能を有する機器の筐体の内面と紙幣識別装置との間に設けられ、スリット状の紙幣投入孔が設けられた取付部材と、取付部材と紙幣識別装置との間に設けられ、スリット状の紙幣通過孔が設けられた補強板とを備え、バール等の工具による取付部材の破壊を補強板によって防止することにより、紙幣識別装置に収納された紙幣の盗難を防止するようにしたものが知られている（例えば、特許文献１参照）。
【特許文献１】特開２００５−２５８６９９
【発明の開示】
【発明が解決しようとする課題】
【０００３】
従来の紙幣識別装置の取付構造では、補強板が溶接等によって取付部材に固定されている。この場合、バール等の工具による紙幣の盗難に対する防盗性能は補強板の板厚に依存するため、防盗性能を向上させるために補強板の板厚を大きくすると、機器の筐体から紙幣識別装置までの距離が大きくなり、機器全体の大型化に繋がる。
【０００４】
本発明は前記問題点に鑑みてなされたものであり、その目的とするところは、補強板の板厚を大きくすることなく、防盗性能を向上させることのできる紙幣識別装置の取付構造を提供することにある。
【課題を解決するための手段】
【０００５】
本発明は前記目的を達成するために、紙幣識別機能を有する機器の筐体の内面と紙幣識別装置との間に設けられ、スリット状の紙幣投入孔が設けられた取付部材と、取付部材と紙幣識別装置との間に設けられ、スリット状の紙幣通過孔が設けられた補強板とを備えた紙幣識別装置の取付構造において、前記補強板を、紙幣投入孔のスリット幅方向に移動可能に取付部材に連結している。
【０００６】
これにより、補強板に所定以上の力が加わると、取付部材に対して補強板が紙幣投入孔のスリット幅方向に移動することから、取付部材の紙幣投入孔の周りを変形させるためにバール等の工具を紙幣投入孔に挿入した場合に、工具の先端に生じる力が補強板を移動させる力として作用し、取付部材の紙幣投入孔と補強板の紙幣通過孔からなる開口部のスリット幅が小さくなることによって工具の進入が規制される。
【発明の効果】
【０００７】
本発明によれば、取付部材の紙幣投入孔の周りを変形させるためにバール等の工具を紙幣投入孔に挿入した場合に、工具の先端に生じる力を補強板を移動させる力として作用させ、取付部材の紙幣投入孔と補強板の紙幣通過孔からなる開口部のスリット幅を小さくすることによって工具の進入を規制することができるので、補強部材の板厚を大きくすることなく、防盗性能を向上させることが可能となる。
【発明を実施するための最良の形態】
【０００８】
図１乃至図６は本発明の一実施形態を示すもので、図１は紙幣識別装置の取付構造を備えた自動販売機の全体斜視図、図２は自動販売機の側面断面図、図３は紙幣識別装置の取付構造を示す外扉の要部側面断面図、図４は取付部材の斜視図、図５及び図６は補強板の動作を示す外扉の要部側面断面図である。
【０００９】
この紙幣識別装置の取付構造を備えた自動販売機は、前面が開口された自動販売機本体１０と、左右方向一端側が自動販売機本体１０の開口端の左右方向一端側に回転自在に支持され、自動販売機本体１０の開口を開閉する外扉２０とを備えている。
【００１０】
自動販売機本体１０は、内部を上下に仕切ることにより上部に商品収納室１１が設けられ、下部に機械室１２が設けられている。商品収納室１１は、上面側、背面側、底面側及び左右両側面側が断熱材１１ａによって囲まれている。商品収納室１１には、缶入り飲料またはペットボトル飲料等の商品を上下に積み重ねて収納し、下端側から商品を一つずつ搬出するための商品収納コラム１１ｂが複数設けられている。また、商品収納室１１の下部には、各商品収納コラム１１ｂから落下搬出された商品を前方に案内するための傾斜板１１ｃが前方に向かって下り傾斜を成すように設けられている。傾斜板１１ｃの下方には、商品収納室１１を冷却するための冷却器１１ｄ及び冷却器用送風機１１ｅが設けられている。更に、商品収納室１１の前面は、左右方向一端側が自動販売機本体１０に回転自在に支持された断熱性の内扉１３によって開閉されるようになっている。内扉１３の下部には、商品収納室１１側と外扉２０側とを連通する商品搬出口１３ａが左右方向に複数設けられ、各商品搬出口１３ａの上端側には商品搬出口１３ａを開閉するための搬出扉１３ｂが回転自在に支持されている。また、機械室１２内には、圧縮機１２ａ、凝縮器１２ｂ及び凝縮器用送風機１２ｃ等の冷凍機器が収納されている。
【００１１】
外扉２０には、自動販売機本体１０内に収納される販売商品の商品サンプルを展示するためのサンプル展示室２１、商品選択スイッチ２２、硬貨投入口２３、紙幣投入口２４、表示パネル２５、返却レバー２６、外扉開閉用のハンドル２７、硬貨返却口２８及び商品取出口２９が設けられている。
【００１２】
紙幣投入口２４はサンプル展示室２１の下方に設けられ、紙幣投入口２４の背面側に位置する外扉２０の背面側には、紙幣投入口２４から投入された紙幣を真偽の判定及び種類の判別をして収納するための紙幣識別装置３０が設けられている。紙幣識別装置３０は、取付部材３１を介して外扉２０の背面側に取り付けられるようになっている。
【００１３】
取付部材３１は、後面側が開口された箱状に形成され、その内部に紙幣識別装置３０が取り付けられるようになっている。また、取付部材３１の前面には紙幣投入口２４が構成されており、投入された紙幣が通過する左右方向に延びるスリット状の紙幣投入孔３１ａが設けられている。取付部材３１の紙幣投入孔３１ａの背面側には、取付部材３１の紙幣投入孔３１ａ周辺を補強するための補強板３２が設けられている。
【００１４】
補強板３２は、所定の板厚を有する金属板からなり、取付部材３１の紙幣投入孔３１ａと同様のスリット状に形成された紙幣通過孔３２ａが設けられている。補強板３２は、左右両側が後方に延びるように固定片３２ｂが設けられ、取付部材３１の側壁３１ｂと固定片３２ｂをネジ３３によって締結することにより、取付部材３１の紙幣投入孔３１ａと補強板３２の紙幣通過孔３２ａが前後に並ぶようにして取付部材３１に対して補強板３２が取り付けられるようになっている。また、固定片３２にはネジ３３を通すためのネジ挿通孔３２ｃが上下方向に延びる長孔状に設けられ、ネジ挿通孔３２ｃの上下方向略中央部にネジ３３が位置する状態で取付部材３１に補強板３２が取り付けられている。つまり、取付部材３１に補強板３２が固定された状態で、補強板３２に所定以上の力が加わると、取付部材３１に対して補強板３２が上方または下方に移動するようになっている。取付部材３１に対する補強板３２の上下方向の移動範囲は、補強板３２が取付部材３１の紙幣投入孔３１ａを閉鎖する位置まで上下に移動するようになっている。
【００１５】
以上のように構成された自動販売機において、紙幣識別装置３０に収納されている紙幣を盗むことを目的とした不正行為として、図５に示すように、バール等の工具Ａを紙幣投入口２４から取付部材３１の紙幣投入孔３１ａに挿入し、紙幣投入孔３１ａを拡大させるために工具Ａの先端を上下に移動させて取付部材３１の紙幣投入孔３１ａの周りを変形させようとすると、工具Ａの先端に生じる力は補強板３２に加わるため、図６に示すように、補強板３２が上下に移動する。これにより、工具Ａの先端に生じる力は、取付部材３１を変形させることなく、補強板３２を移動させる力として作用する。また、補強板３２が移動することによって、取付部材３１の紙幣投入孔３１ａと補強板３２の紙幣通過孔３２ａからなる開口部の上下寸法が小さくなることから、工具Ａの先端が更に挿入されることはない。
【００１６】
また、前記不正行為が試みられた場合、補強板３２がずれた状態となり、紙幣が挿入できない状態となるが、補強板３２を取付部材３１の紙幣投入孔３１ａと補強板３２の紙幣通過孔３２ａが前後に並ぶようにして取付部材３１に取り付け直すことにより復旧が可能である。また、補強板３２が破壊された場合には、補強板３２のみを取り替えることが可能である。
【００１７】
このように本実施形態の紙幣識別装置の取付構造によれば、取付部材３１の紙幣投入孔３１ａのスリット幅方向に移動可能に補強板３２を取付部材３１に連結したので、取付部材３１の紙幣投入孔３１ａの周りを変形させるためにバール等の工具Ａを紙幣投入孔３１ａに挿入した場合に、工具Ａの先端に生じる力を補強板３２を移動させる力として作用させ、取付部材３１の紙幣投入孔３１ａと補強板３２の紙幣通過孔３２ａからなる開口部のスリット幅を小さくすることによって工具Ａの進入を規制することができ、補強部材３２の板厚を大きくすることなく、防盗性能を向上させることが可能となる。
【００１８】
また、取付部材３１及び補強板３２を、長孔状のネジ挿通孔３２ｃを介してネジ３３によって連結されているので、簡単な構造によって取付部材３１に対して補強板３２が移動可能に構成され、取付部材３１に対して補強板３２を容易に着脱でき、補強板３２が破壊された場合の復旧作業を容易に行うことができる。
【００１９】
尚、前記実施形態では、長孔状のネジ挿通孔３２ｃを補強板３２に設けたが、長孔状のネジ挿通孔を取付部材３１に設け、取付部材３１に対して補強板３２を上下方向に移動可能にしても良い。
【図面の簡単な説明】
【００２０】
【図１】本発明の一実施形態を示す紙幣識別装置の取付構造を備えた自動販売機の全体斜視図
【図２】自動販売機の側面断面図
【図３】紙幣識別装置の取付構造を示す外扉の要部側面断面図
【図４】取付部材の斜視図
【図５】補強板の動作を示す外扉の要部側面断面図
【図６】補強板の動作を示す外扉の要部側面断面図
【符号の説明】
【００２１】
２０…外扉、２４…紙幣投入口、３０…紙幣識別装置、３１…取付部材、３１ａ…紙幣投入孔、３１ｂ…側壁、３２…補強板、３２ａ…紙幣通過孔、３２ｂ…固定片、３２ｃ…ネジ挿通孔、３３…ネジ。
【図１】
2008304971.tif 000003
【図２】
2008304971.tif 000004
【図３】
2008304971.tif 000005
【図４】
2008304971.tif 000006
【図５】
2008304971.tif 000007
【図６】
2008304971.tif 000008